(57)【特許請求の範囲】
【請求項１】
好気処理槽と、前記好気処理槽内に配置されて前記好気処理槽に空気を供給する散気装置と、前記散気装置に空気を供給するエア管とを備えた浄化槽であって、
前記散気装置は、前記好気処理槽の通常運転時の水面より下方に配置される散気管と、前記散気管に着脱可能に連結されるとともに前記エア管に着脱可能に連結されて、上下方向に略沿って配設され、前記散気管に前記エア管から供給された空気を送出する空気供給管とを備え、
前記空気供給管と前記エア管との連結部は、前記水面より上方に配置され、
前記連結部の上方に、蓋により開閉可能に閉塞される開口部が形成され、
前記開口部の下方であって、前記水面より上方に、前記散気管を着脱可能に支持する散気管支持部が設けられていることを特徴とする浄化槽。
【請求項２】
前記開口部の開口面が円形状とされていることを特徴とする請求項１記載の浄化槽。
【請求項３】
前記散気管支持部は、断面Ｃ字形状をなすように長手方向に沿って一端から他端まで開口部が形成された管状をなして、長手方向を、前記好気処理槽に通常運転時に配置されているときの前記散気管の長手方向に略沿わせて配置され、
前記散気管支持部の前記開口部は、前記散気管支持部の周方向に沿って対応する両端を結んだ開口幅が前記散気管を挿入可能な幅に形成されて、上方乃至は斜め上方を向いて開口するように配設されていることを特徴とする請求項１又は２記載の浄化槽。
【発明の詳細な説明】
【技術分野】
【０００１】
本発明は、汚水を処理する浄化槽に関し、特に、散気管のメンテナンスが容易な浄化槽に関する。
【背景技術】
【０００２】
汚水を処理する浄化槽１００として、図９、１１に示すように、全体としてＴ字形状をなす散気装置１０１が複数配設された担体流動槽１０６を有するものがある。担体流動槽１０６は、ばっ気処理が行なわれる好気処理槽であり、散気装置１０１から噴出される空気により担体が槽内を流動する。散気装置１０１は、空気を噴出するための微小な孔が多数形成された多孔質の管体１０２ａを２本連結した散気管１０２と、散気管１０２の中央部に連結されて散気管１０２に空気を供給する空気供給管１０３とから構成されている。かかる散気装置１０１は、散気管１０２が目詰まりすることがあるため、清掃や交換等のメンテナンスのために槽外に引き上げる必要が出てくる。このため、従来から、浄化槽１００では、散気装置１０１の配置位置上方に開口部１０４を設けている。
【０００３】
かかるＴ字形状の散気装置１０１は、大きく傾けようとすると空気供給管１０３が開口部１０４に当接して、傾けることが困難であった。このため、従来の浄化槽１００では、開口部１０４を、例えば散気管１０２の長さが１１３０ｍｍであれば１０００ｍｍ×６００ｍｍの長方形状とする等、長辺が散気管１０２の長さに近い長さを有する長方形状として、同様の長方形状の角蓋で閉塞し、散気装置１０１を引き上げるときには、角蓋を取り除いて、空気供給管１０３に空気を供給するエア管１０５から空気供給管１０３を取り外し、図１０に示すように、散気管１０２の長手方向が開口部１０４の長辺方向に沿うように、散気装置１０１を回動させ、図１１に示すように、散気装置１０１を少しだけ傾けて散気管１０２が開口部１０４を通過するようにしていた。また、開口部１０４の大きさが小さく散気装置１０１を傾けて散気管１０２を通過させることが困難であるときは、散気管１０２が開口部１０４に近づくように空気供給管１０３を引き上げておいて、槽内で空気供給管１０３と散気管１０２との接続部の螺子を緩めて、散気管１０２を取り出していた。
【０００４】
なお、散気管を散気管挿入孔から挿入可能な第１姿勢と、好気処理槽内に設置するときの第２姿勢とに切り換え可能として、散気管の槽外への取り出しを容易にした浄化槽に、下記特許文献１に記載されたものがある。
【先行技術文献】
【特許文献】
【０００５】
【特許文献１】特開２００１−９４８４号公報
【発明の概要】
【発明が解決しようとする課題】
【０００６】
ところが、従来の浄化槽１００において、散気管１０２の長さに近い長さを有するような大型の角蓋を、１枚で構成したときには、重量が重くなるため、作業性が悪いという問題があり、複数枚の分割された蓋で構成した場合には、開口部１０４にそれらの分割された蓋を受けるための梁を渡さなければならず、散気装置１０１を取り出すときは、その梁も取り外さなければならないため、やはり作業性が悪いという問題があった。また、大型の角蓋は、製造コストが高いという問題もあった。さらに、槽内で空気供給管１０３と散気管１０２との接続部の螺子を緩めて、散気管１０２を取り出す場合には、空気供給管１０３と散気管１０２の両方を槽内に落ちないように人が支持した状態で、螺子を緩めなければならないため、一人では作業困難で作業性が悪く、散気管１０２を取り落とす虞もあった。
【０００７】
また、上記特許文献１に記載された浄化槽では、散気管を第１姿勢と第２姿勢に切り換え可能に構成するため、散気管の構成が複雑となり、製造コストが高くなるという問題があった。
【０００８】
本発明は、上述した問題を解決するものであり、散気管を取り出すときの作業性を向上可能であるとともに散気管を取り落とす虞を低減でき、かつ、安価に製造可能な浄化槽を提供することを目的とする。
【課題を解決するための手段】
【０００９】
本発明の浄化槽は、好気処理槽と、前記好気処理槽内に配置されて前記好気処理槽に空気を供給する散気装置と、前記散気装置に空気を供給するエア管とを備えた浄化槽であって、前記散気装置は、前記好気処理槽の通常運転時の水面より下方に配置される散気管と、前記散気管に着脱可能に連結されるとともに前記エア管に着脱可能に連結されて、上下方向に略沿って配設され、前記散気管に前記エア管から供給された空気を送出する空気供給管とを備え、前記空気供給管と前記エア管との連結部は、前記水面より上方に配置され、前記連結部の上方に、蓋により開閉可能に閉塞される開口部が形成され、前記開口部の下方であって、前記水面より上方に、前記散気管を着脱可能に支持する散気管支持部が設けられていることを特徴とする。
【００１０】
これによれば、空気供給管とエア管との連結部の上方に、開口部が形成され、その開口部の下方であって、好気処理槽の通常運転時の水面より上方に、散気管を着脱可能に支持する散気管支持部が設けられているので、散気管を取り出すときは、開口部から空気供給管とエア管との連結を解除して空気供給管を上方に引き上げ、散気管を散気管支持部に支持させて空気供給管と散気管との連結を解除し、散気管を手で把持して散気管支持部から外して、開口部を通るように散気管を傾けて槽外に取り出すことができる。このように、散気管を散気管支持部に支持させた状態で空気供給管との連結を解除できるので、一人でも作業容易で作業性が向上し、散気管を取り落とす虞も低減する。また、空気供給管との連結を解除してから散気管を傾けて開口部を通過させればいいので、開口部を大きくする必要が無く、蓋を小型化できるため、蓋の重量が軽くなって蓋の開閉の際の作業性が向上し、蓋の製造コストも削減できる。そして、散気管は複雑な構成とする必要が無いので、散気管の製造コストは上昇しない。したがって、安価に浄化槽を製造可能である。
【００１１】
ここで、前記開口部の開口面が円形状とされていることが好ましい。
【００１２】
これによれば、開口部を閉塞する蓋として、安価なマンホール用蓋を転用できるため、さらに安価に浄化槽を製造可能である。
【００１３】
また、前記散気管支持部は、断面Ｃ字形状をなすように長手方向に沿って一端から他端まで開口部が形成された管状をなして、長手方向を、前記好気処理槽に通常運転時に配置されているときの前記散気管の長手方向に略沿わせて配置され、前記散気管支持部の前記開口部は、前記散気管支持部の周方向に沿って対応する両端を結んだ開口幅が前記散気管を挿入可能な幅に形成されて、上方乃至は斜め上方を向いて開口するように配設されていることとしてもよい。
【００１４】
これによれば、空気供給管を把持して散気装置を上方に引き上げて、散気管の向きを変えることなく、散気管支持部の開口部から散気管を散気管支持部内に挿入して支持させることができるので、散気管を散気管支持部に支持させるときの作業が容易であり、作業性をさらに向上させることができる。また、散気管支持部の構成が簡易であることから、浄化槽の製造コストの上昇を抑制できる。
【発明の効果】
【００１５】
本発明の浄化槽によれば、散気管を取り出すときの作業性を向上可能であるとともに散気管を取り落とす虞を低減でき、かつ、安価に製造可能である。
【図面の簡単な説明】
【００１６】
【図１】本発明の浄化槽の一実施形態の概略横断面図である。
【図２】同実施形態の概略縦断面図である。
【図３】同実施形態の要部縦断面図である。
【図４】同実施形態の散気管支持部及び取付部材の平面図である。
【図５】同実施形態の要部斜視図である。
【図６】同実施形態の散気装置を取り出すときの説明のための要部平面図である。
【図７】同実施形態の散気装置を取り出すときの説明のための要部斜視図である。
【図８】同実施形態の散気装置を取り出すときの説明図である。
【図９】従来の浄化槽の概略横断面図である。
【図１０】従来の散気装置を取り出すときの説明のための要部平面図である。
【図１１】従来の散気装置を取り出すときの説明図である。
【発明を実施するための形態】
【００１７】
以下、本発明の一実施形態を図面に基づいて説明する。
【００１８】
実施形態の浄化槽Ｃは、図１、２に示すように、略直方体状のタンク１の内部を、複数の区画壁によって、区画して構成されるもので、タンク１の上壁部には、点検口となる開口部２ａ、２ｂ、２ｃ、２ｄ、２ｅ、２ｆ、２ｇ、２ｈ、２ｉが形成され、開口部２ａ、２ｂ、２ｃ、２ｄ、２ｅ、２ｆ、２ｇ、２ｈ、２ｉは、蓋３ａ、３ｂ、３ｃ、３ｄ、３ｅ、３ｆ、３ｇ、３ｈ、３ｉにより、開閉可能に閉塞されている。そして、開口部２ａ、２ｃ、２ｅ、２ｆ、２ｇは、開口面が円形状をなしており、蓋３ａ、３ｃ、３ｅ、３ｆ、３ｇは、直径約６００ｍｍの円形状をなすマンホール用蓋とされている。一方、開口部２ｂ、２ｄ、２ｈ、２ｉは、開口面が長方形状をなしており、蓋３ｂ、３ｄ、３ｈ、３ｉは、長方形状の角蓋とされている。
【００１９】
なお、実施形態では、特に断らない限り、上下、左右、前後の方向を、地中に埋設した状態でのタンク１の高さ方向を上下方向とし、排水の流入方向における上流側を左側としてタンク１の長手方向を左右方向とし、タンク１の短手方向を前後方向として、説明をする。
【００２０】
タンク１内には、上流側から順に、ばっ気型スクリーン槽１１、流量調整槽１２、汚泥濃縮貯留槽１３、多孔スクリーン槽１４、担体流動槽１５、生物ろ過槽１６、消毒槽１７、及び、放流ポンプ槽１８が配置されている。
【００２１】
ばっ気型スクリーン槽１１には、櫛状に形成されたバースクリーン２１と、槽内に空気を噴出するための散気装置２２とが配置されている。流入管２３からばっ気型スクリーン槽１１に流入した汚水は、粗大固形物をバースクリーン２１により除去されて、図示しない移流口から流量調整槽１２に移流する。
【００２２】
流量調整槽１２には、ポンプ２４を備えた定量移送装置２５と、散気装置２６とが配設され、定量移送装置２５は、流量調整槽１２内の汚水を計量して所定量ずつ多孔スクリーン槽１４に移送管２７を介して移送する。
【００２３】
多孔スクリーン槽１４は、散気装置２９とエアリフトポンプ３０とが配設されるとともに、多孔質のスクリーン板２８を介して担体流動槽１５と連通されており、多孔スクリーン槽１４と担体流動槽１５との間でスクリーン板２８を介して汚水が行き来するように構成されており、汚水内のある程度の大きさ以上のし渣は、スクリーン板２８で捕捉される。捕捉されたし渣は、担体流動槽１５の担体及び多孔スクリーン槽１４内で散気装置２９から発生した気泡の接触によって、スクリーン板２８から剥離される。エアリフトポンプ３０は、多孔スクリーン槽１４に沈殿した汚泥やし渣を吸込んで汚泥濃縮貯留槽１３に移送する。
【００２４】
汚泥濃縮貯留槽１３は、槽内下部に汚泥を貯留する槽であり、槽内上部の汚水を流量調整槽１２に移流する移流管３１が配置され、また、散気装置３２が配置されている。
【００２５】
担体流動槽１５は、好気処理槽であり、好気性の微生物を付着させるための合成樹脂製の図示しない担体が内部に多数収容されるとともに、槽内に複数の散気装置４が配置され、各散気装置４から噴出される空気により、ばっ気を行うとともに、担体を流動させている。担体流動槽１５で処理された汚水は、生物ろ過槽１６との区画壁に設けられた移流口３３から生物ろ過槽１６に移流する。
【００２６】
生物ろ過槽１６は、担体流動槽５から流入した汚水中の汚泥を沈殿させてろ材でろ過するものであり、生物ろ過槽６の上部に配置されるろ材３４を備え、エアリフトポンプにより汚泥を汚泥濃縮貯留槽１３及び流量調整槽１２に移送する移送管３５が配設されている。生物ろ過槽１６で処理された汚水は、消毒槽１７との区画壁に設けられた移流口３６から消毒槽１７に移流する。
【００２７】
消毒槽１７は、生物ろ過槽１６から流入した汚水の消毒を行うものであり、消毒槽１７で消毒された汚水は、放流ポンプ槽１８との区画壁に設けられた越流壁３７を経て放流ポンプ槽１８に流入する。
【００２８】
放流ポンプ槽１８は、消毒槽１７と前後に隣接して設けられ、ポンプ３８を備えて、消毒槽１７から流入した消毒処理された水を、放流管３９から放流する。
【００２９】
次に、浄化槽Ｃの要部について説明する。
【００３０】
担体流動槽１５に配置された各散気装置４は、担体流動槽１５の通常運転時の水面Ｗより下方に、浄化槽Ｃの左右方向に略沿って配置される散気管４１と、散気管４１に着脱可能に連結されて上下方向に略沿って配設される空気供給管４２とを備え、全体として略Ｔ字形状をなしている。
【００３１】
詳しくは、担体流動槽１５には、３つの散気装置４が配設され、中央の散気装置４の散気管４１は、長さ約５００ｍｍの多孔質の管体４１ａを２本、連結部材４１ｃで連結することにより、全体として棒状をなし、左右の散気装置４の散気管４１は、管体４１ａと長さ約２５０ｍｍの多孔質の管体４１ｂとを、連結部材４１ｃで連結することにより、全体として棒状をなしている。なお、管体４１ａ、４１ｂの連結部材４１ｃ側とは反対側の端部は、キャップ４１ｄが嵌合されている（図７参照）。そして、いずれの散気装置４においても、連結部材４１ｃに空気供給管４２が、その端部を連結部材４１ｃに形成された雌螺子部４１ｅにねじ込むことにより、連結されている。
【００３２】
図３に示すように、空気供給管４２は、上端部において、浄化槽Ｃに配設されたエア管５の分岐管５１に、ねじ込み式の連結部材６１を介して着脱可能に連結されて、エア管５から供給された空気を散気管４１に送出する。なお、エア管５には、図示しないブロワが連結されて空気が送り込まれる。分岐管５１は、エア管５に設けられた連結部５２から立ち上がっている。連結部材６１による空気供給管４２とエア管５との連結部６は、担体流動槽１５の通常運転時の水面Ｗより上方に配置されるとともに、開口部２ｅ、２ｆ、２ｇの下方に配置されている。換言すれば、空気供給管４２とエア管５との連結部６の上方に、開口部２ｅ、２ｆ、２ｇが形成されている。
【００３３】
そして、開口部２ｅ、２ｆ、２ｇの下方であって、水面Ｗより上方には、それぞれ、散気管４１を着脱可能に支持する散気管支持部７が設けられている。
【００３４】
詳しくは、散気管支持部７は、図３〜５に示すように、断面Ｃ字形状をなすように長手方向（管軸方向）に沿って一端から他端まで開口部７１が形成された管状をなしている。開口部７１には、長手方向における中央部に、散気管支持部７の周方向における開口幅を上側に拡幅した連結部材配置部７１ａが形成されている。開口部７１は、散気管支持部７の周方向に沿って対応する両端を結んだ開口幅Ａ（図３参照）が、散気管４１を挿入可能な幅に形成されている。具体的には、開口幅Ａは、散気管４１の管体４１ａ、４１ｂの外径よりも大きくされている。なお、開口幅Ａは、連結部材配置部７１ａにおいては、散気管支持部７のその他の部分よりも大きくなっている。
【００３５】
そして、散気管支持部７は、取付部材８を介して、エア管５の分岐管５１に取り付けられて、開口部７１が斜め上方を向いて開口するように配設されるとともに、散気管支持部７の長手方向が、通常運転時に担体流動槽１５に配置されているときの散気管４１の長手方向（管軸方向）に略沿うように、配設されている（図６参照）。なお、散気管支持部７は、ボルトにより取付部材８を介して分岐管５１に締結され固定されている。
【００３６】
また、散気管支持部７は、開口部２ｅ、２ｆ、２ｇの下方約７００ｍｍまでのの範囲に配置されている。これは、開口部２ｅ、２ｆ、２ｇから作業者が腕を伸ばしたときに届く範囲である。
【００３７】
以上のように構成された浄化槽Ｃから散気装置４を取り出す場合について、開口部２ｆの下方に配設された散気装置４を例に説明する。
【００３８】
まず、開口部２ｆを閉塞する蓋３ｆを開ける。なお、蓋３ｆはマンホール用蓋であり軽量であるので、蓋３ｆの開放作業は容易である。そして、連結部材６１を緩めて連結部６を取り除くことにより、図６に示すように、空気供給管４２とエア管５との連結を解除する。そして、空気供給管４２を上方に引き上げ、散気管４１を散気管支持部７に開口部７１から挿入して、連結部材４１ｃを連結部材配置部７１ａに配置し、散気管４１を散気管支持部７に支持させる（図７参照）。このとき、散気管支持部７の長手方向における連結部材配置部７１ａの両端に、散気管４１の長手方向における連結部材４１ｃの両端が当接して、散気管４１の長手方向に沿った移動が規制される。また、開口部７１は斜め上方に向かって開口しているので、空気供給管４２は、分岐管５１に当接しないように、斜め上方に延びるように配設することができる。
【００３９】
次に、空気供給管４２を、その管軸を軸として回転させて連結部材４１ｃの雌螺子部４１ｅから取り外すことにより、空気供給管４２と散気管４１との連結を解除して、空気供給管４２を開口部２ｆから槽外に取り出す。図７は、このように空気供給管４２を取り出した状態を示す。なお、上述したように、散気管支持部７は、エア管５に固定されているので、空気供給管４２をその管軸を軸として回転させても、回動することはなく、散気管４１も回動しないため、雌螺子部４１ｅを回動しないように押さえておく必要がなく、空気供給管４２の上部を持って回転させるだけで、空気供給管４２を連結部材４１ｃから取り外すことができる。
【００４０】
このように、散気管４１を散気管支持部７に支持させた状態で空気供給管４２との連結を解除できるので、空気供給管４２と散気管４１の両方を人が支持した状態で連結を解除する必要がなく、一人でも作業容易で作業性が向上し、散気管４１を取り落とす虞も低減する。
【００４１】
そして、空気供給管４２を槽外に取り出した後、散気管４１を手で持って散気管支持部７から外し、図８に示すように傾けて、開口部２ｆを通過させて槽外に取り出す。図８中、符号Ｇは地面である。
【００４２】
なお、開口部２ｅ、２ｇの下方に配置された散気装置４を取り外すときも、開口部２ｆの下方に配置された散気装置４の場合と同様である。
【００４３】
以上説明したように、浄化槽Ｃによれば、散気管４１を散気管支持部７に支持させた状態で空気供給管４２との連結を解除してから、散気管４１を傾けて開口部２ｆを通過させればいいので、空気供給管４２が邪魔になることなく散気管４１を自由に傾けることができる。したがって、開口部２ｅ、２ｆ、２ｇを大きくする必要が無く、蓋３ｅ、３ｆ、３ｇを小型化できるため、蓋３ｅ、３ｆ、３ｇの重量が軽くなって蓋３ｅ、３ｆ、３ｇの開閉の際の作業性が向上し、蓋３ｅ、３ｆ、３ｇの製造コストも削減できる。そして、散気装置４を従来どおりＴ字形状のものとする等、散気装置４を複雑な構成とする必要が無いので、散気装置４の製造コストは上昇しない。したがって、安価に浄化槽Ｃを製造可能である。また、蓋３ｅ、３ｆ、３ｇとして、安価なマンホール用蓋を転用できるため、さらに安価に浄化槽Ｃを製造可能である。
【００４４】
また、散気管支持部７は、断面Ｃ字形状をなすように長手方向に沿って一端から他端まで開口部７１が形成された管状をなして、長手方向を、担体流動槽１５に通常運転時に配置されているときの散気管４１の長手方向に略沿わせて配置され、開口部７１は、開口幅Ａが散気管４１を挿入可能な幅に形成されて、斜め上方を向いて開口しているので、空気供給管４２を持って散気装置４を上方に引き上げて、散気管４１の向きを変えることなく、開口部７１から散気管４１を散気管支持部７内に挿入して支持させることができるので、散気管４１を散気管支持部７に支持させるときの作業が容易であり、作業性をさらに向上させることができる。また、散気管支持部７の構成が簡易であることから、散気管支持部７を設けることによる浄化槽Ｃの製造コストの上昇を抑制できる。
【００４５】
なお、散気管支持部７の取付位置は、上記実施形態のものに限らず変更可能であり、エア管５以外のものに取り付けてもよい。
【００４６】
そして、上記実施形態では、開口部７１を斜め上方に向けて開口させたが、これは、空気供給管４２が分岐管５１に接触しないように散気装置４を散気管支持部７に支持させることを可能とするためであり、散気管支持部７の取付位置によって、空気供給管４２が分岐管５１その他の浄化槽Ｃ内の他の部材に接触する虞がない場合には、開口部７１を上方に向けて開口させてもよい。
【００４７】
また、空気供給管４２が分岐管５１その他の浄化槽Ｃ内の他の部材に接触することを防止するために、連結部材配置部７１ａを、散気管支持部７の長手方向における中央部からずれた位置に形成してもよい。
【００４８】
また、開口部７１の連結部材配置部７１ａのみを斜め上方に向けて開口させ、開口部７１の他の部分を側方に向けて開口させることとしてもよいが、開口部７１全体を上方乃至は斜め上方に向けて開口させれば、散気管４１を取り落とす虞をより低減できる。
【００４９】
また、散気管支持部７の形状も、上記実施形態のものに限らず、散気管４１の形状に応じて適宜変更可能であり、例えば、上記実施形態のような棒状の散気管４１であれば、散気管支持部７を、Ｃ字形状をなす環状部材を複数並設した形状として、それらの環状部材に散気管４１を挿入することとしてもよい。
【００５０】
また、空気供給管４２は、開口部２ｆ等から引き上げ可能なように浄化槽Ｃの上下方向に略沿って配設されたものであれば、屈曲部を有していてもよいし、斜めに配設されていてもよい。散気装置４の構成も略Ｔ字形状のものに限らない。
【００５１】
また、担体流動槽１５以外の好気処理槽に設けられた散気装置に対して、散気管支持部７を設けてもよい。
【００５２】
また、必ずしも、散気管支持部７の長手方向を、好気処理槽に通常運転時に配置されているときの散気管４１の長手方向に略沿わせる必要はなく、例えば、平面視において、散気管支持部７の長手方向が、散気管４１の長手方向と直交するように配置することとしてもよい。すなわち、散気管支持部７の配置位置やその長手方向をどの方向に向けるかは、散気管４１を引き上げるときに槽内の配管その他の部材が妨げになるか否かを考慮して、適宜決定し得る事項である。
【符号の説明】
【００５３】
２ｅ、２ｆ、２ｇ…開口部
３ｅ、３ｆ、３ｇ…蓋
４…散気装置
５…エア管
６…連結部
７…散気管支持部
１５…担体流動槽
４１…散気管
４２…空気供給管
Ｃ…浄化槽
Ｗ…水面
Ａ…開口幅
【図１】
0005706366.tif 000002
【図２】
0005706366.tif 000003
【図３】
0005706366.tif 000004
【図４】
0005706366.tif 000005
【図５】
0005706366.tif 000006
【図６】
0005706366.tif 000007
【図７】
0005706366.tif 000008
【図８】
0005706366.tif 000009
【図９】
0005706366.tif 000010
【図１０】
0005706366.tif 000011
【図１１】
0005706366.tif 000012